(57)【要約】【課題】撮影機能を備えたバーコード読取装置に、作業環境に影響されることなく常に良好な作業性を確保する。【解決手段】所定の動作モードの設定に伴い、伝票２００を撮影した画像を表示画面に逐次プレビュー画像Ｇとして表示させ（ａ）、バーコードの読み取りに際し、表示中のプレビュー画像Ｇに重ね、撮影範囲内におけるレーザー光の想定される照射位置を示す指標ＧＬを表示させる。ユーザにおいては、レーザー光の光跡を直接目視せずとも、表示画面上でレーザー光の照射位置を確実に知ることができる。【選択図】図７
2019036053.tif 000002
【特許請求の範囲】
【請求項１】
対象物に光線を照射し、その対象物に設けられたバーコードを読み取る読み取り手段と、
前記対象物を撮像する撮像手段と、
前記撮像手段により撮像された画像を逐次表示する表示手段と、
前記読み取り手段によるバーコードの読み取りに際し、前記表示手段に前記光線の想定される照射位置を示す指標を前記画像に重ねて表示させる指標表示制御手段と
を備えたことを特徴とするバーコード読取装置。
【請求項２】
前記指標表示制御手段は、前記読み取り手段におけるバーコードの読み取り動作の開始と相前後して、前記表示手段に前記指標を前記画像に重ねて表示させることを特徴とする請求項１記載のバーコード読取装置。
【請求項３】
前記指標表示制御手段は、使用者による前記バーコードの読み取り開始指示に応答し、前記表示手段に前記指標を前記画像に重ねて表示させることを特徴とする請求項１又は２記載のバーコード読取装置。
【請求項４】
前記指標表示制御手段は、前記読み取り手段によるバーコードの読み取り動作が完了した時点で、前記表示手段における前記指標の表示を終了することを特徴とする請求項１又は２，３記載のバーコード読取装置。
【請求項５】
前記指標は、前記画像内に延在する所定幅を有する直線であることを特徴とする請求項１乃至４のいずれか１項に記載のバーコード読取装置。
【請求項６】
前記読み取り手段におけるバーコードの読み取り動作の完了に伴い、前記撮像手段に記録用の画像を撮像させる撮影制御手段を備えたことを特徴とする請求項１乃至５のいずれか１項に記載のバーコード読取装置。
【請求項７】
前記撮像手段よる記録用の画像の撮像が完了したことを報知する報知手段を備えたことを特徴とする請求項６記載のバーコード読取装置。
【請求項８】
対象物に光線を照射し、その対象物に設けられたバーコードを読み取る読み取り手段と、前記対象物を撮像する撮像手段と、前記撮像手段により撮像された画像を逐次表示する表示手段とを備えたバーコード読取装置の制御方法であって、
前記読み取り手段によるバーコードの読み取りに際し、前記表示手段に前記光線の想定される照射位置を示す指標を前記画像に重ねて表示させるステップを含むことを特徴とする制御方法。
【請求項９】
対象物に光線を照射し、その対象物に設けられたバーコードを読み取る読み取り手段と、前記対象物を撮像する撮像手段と、前記撮像手段により撮像された画像を逐次表示する表示手段とを備えたバーコード読取装置が有するコンピュータを、
前記読み取り手段によるバーコードの読み取りに際し、前記表示手段に前記光線の想定される照射位置を示す指標を前記画像に重ねて表示させる指標表示制御手段として機能させることを特徴とするプログラム。
【発明の詳細な説明】
【技術分野】
【０００１】
本発明は、撮影機能を備えたバーコード読取装置に関するものである。
【背景技術】
【０００２】
従来、各種の伝票や物品等に付されたバーコードをレーザースキャナにより読み取るハンディーターミナルが多用されている。また、例えば下記特許文献１には、ハンディーターミナルの本体にカメラ、及びカメラによる撮影画像を表示するディスプレイを設け、バーコードを読み取るだけでなく、それが付された伝票や物品等を撮影可能とした構成が記載されている。係る構成ではレーザー光の射出方向と撮影方向とをほぼ平行とすれば、ディスプレイの画面上で伝票や物品等の画像を確認しながらバーコードの読み取り作業と撮影作業とを効率的に行うことができる。
【先行技術文献】
【特許文献】
【０００３】
【特許文献１】特開２００４−３４５８２６号公報
【発明の概要】
【発明が解決しようとする課題】
【０００４】
しかしながら、ディスプレイの画面上で視認可能なレーザー光の光跡は極く細い線であるため、例えば戸外等の周囲が明るい環境下でバーコードの読み取り作業と伝票や物品等の撮影作業とを行う場合には、レーザー光の光跡を確認しづらい。そのためレーザー光の照射位置の調整に手間取ることとなり、良好な作業性を確保することができないという問題があった。
【０００５】
本発明は、かかる従来の課題に鑑みてなされたものであり、撮影機能を備えたバーコード読取装置に、作業環境に影響されることなく常に良好な作業性を確保することを目的とする。
【課題を解決するための手段】
【０００６】
前記課題を解決するため、本発明のバーコード読取装置にあっては、対象物に光線を照射し、その対象物に設けられたバーコードを読み取る読み取り手段と、前記対象物を撮像する撮像手段と、前記撮像手段により撮像された画像を逐次表示する表示手段と、前記読み取り手段によるバーコードの読み取りに際し、前記表示手段に前記光線の想定される照射位置を示す指標を前記画像に重ねて表示させる指標表示制御手段とを備えたことを特徴とする。
【０００７】
また、本発明の制御方法にあっては、対象物に光線を照射し、その対象物に設けられたバーコードを読み取る読み取り手段と、前記対象物を撮像する撮像手段と、前記撮像手段により撮像された画像を逐次表示する表示手段とを備えたバーコード読取装置の制御方法であって、前記読み取り手段によるバーコードの読み取りに際し、前記表示手段に前記光線の想定される照射位置を示す指標を前記画像に重ねて表示させるステップを含むことを特徴とする。
【０００８】
また、本発明のプログラムにあっては、対象物に光線を照射し、その対象物に設けられたバーコードを読み取る読み取り手段と、前記対象物を撮像する撮像手段と、前記撮像手段により撮像された画像を逐次表示する表示手段とを備えたバーコード読取装置が有するコンピュータを、前記読み取り手段によるバーコードの読み取りに際し、前記表示手段に前記光線の想定される照射位置を示す指標を前記画像に重ねて表示させる指標表示制御手段として機能させることを特徴とする。
【発明の効果】
【０００９】
本発明によれば、撮影機能を備えたバーコード読取装置に、作業環境に影響されることなく常に良好な作業性を確保することができる。
【図面の簡単な説明】
【００１０】
【図１】本発明に係るハンディーターミナルの一実施形態を示した正面図である。
【図２】ハンディーターミナルの側面図である。
【図３】ハンディーターミナルの裏面側を示した斜視図である。
【図４】バーコードの読み取り時におけるレーザー光の光跡とカメラの撮影範囲との関係を示す図である。
【図５】ハンディーターミナルの電気的構成を示すブロック図である。
【図６】同時読み取りモードによる動作を示すフローチャートである。
【図７】同時読み取りモードを用いた作業時におけるディスプレイの表示画面を例示する図である。
【発明を実施するための形態】
【００１１】
以下、本発明の実施形態について説明する。図１〜図３は、本発明の一実施の形態に係るハンディーターミナルを示す図である。
【００１２】
このハンディーターミナルは、バーコードが設けられている各種の伝票や物品等の対象物を撮影する撮影機能を備えたものであって、図１〜図３に示すように、機器ケース１を備えている。この機器ケース１は、上部ケース２と下部ケース３とで構成されている。上部ケース２には、ディスプレイ４と入力部５とが設けられている。下部ケース３には、読取装置６と電池蓋７とが設けられている。
【００１３】
機器ケース１は、上部ケース２のディスプレイ４側およびこれに対応する下部ケース３の読取装置６側に位置する先端部側（図１では上辺部側）が前後方向（図１では上下方向）に長い長方形状の本体部１ａに形成され、上部ケース２の入力部５側およびこれに対応する下部ケース３の電池蓋７側に位置する手前部側（図１では下辺部側）が前後方向に長い長方形状の握り部１ｂに形成されている。また、機器ケース１は、握り部１ｂの幅が本体部１ａの幅よりも狭く、全体がほぼ羽子板形状に形成されている。
【００１４】
図１に示すように、入力部５は、テンキー、演算キー、カーソルキー、決定キー、電源キーなどの各種のキー５ａを備え、これらが握り部１ｂ側に位置する上部ケース２に配列されている。入力部５の上辺部には、センタートリガーキー５ｂが設けられる一方、機器ケース１の両側面にはサイドトリガーキー５ｃがそれぞれ設けられている。
【００１５】
読取装置６は、ディスプレイ４の裏面側に対応する下部ケース３の下面（図３では上面）に設けられたユニットケース１０の内部に設けられているスキャナとカメラとから構成され、ユニットケース１０には、スキャナに対応する読取窓部１１とカメラに対応する撮影窓部１２とが設けられている。
【００１６】
読取装置６のスキャナは、読取窓部１１を介して対象物にレーザー光を照射し、その照射位置を所定方向に往復移動させる間に、その反射光を受光することによりバーコードを読み取りコードデータを取得する一般的なものである。また、読取装置６のカメラは、撮影窓部１２を介して撮像素子により対象物を撮像するものであり、カメラにより撮像された対象物等の画像はディスプレイ４に表示される。
【００１７】
ここで、ハンディーターミナルにおいては、図２に示すように、読取装置６におけるレーザー光の照射方向Ｓ１とカメラの撮影方向Ｓ２とは同一方向に設定されており、バーコードの読み取り時に往復移動するレーザー光の光跡がカメラの撮影範囲を所定の位置で横切るよう構成されている。
【００１８】
図４は、バーコードの読み取り時におけるレーザー光Ｌの光跡Ｔとカメラの撮影範囲１００との関係を示す図である。本実施形態においてカメラの撮影範囲１００は縦長の長方形であるとともに、レーザー光Ｌの移動方向は左右方向であり、その光跡Ｔは撮影範囲１００の中央よりやや下方に位置して撮影範囲１００を横断する。また、光跡Ｔの横断位置Ｎ、つまり撮影範囲１００における上下方向の位置は一定である。
【００１９】
また、レーザー光Ｌの照射方向Ｓ１とカメラの撮影方向Ｓ２とは、機器ケース１の下面つまり下部ケース３の下面に対して所定角度θの傾きを確保されており、ユーザー（作業者）がバーコードの読み取り作業及び対象物の撮影作業を行う際には、それらの作業をディスプレイ４を見ながら容易に行えるように構成されている。なお、所定角度θは下部ケース３の先端側（図２では上辺側）に向けて４０°〜８０°の角度範囲、好ましくは６０°の角度で傾いていることが望ましい。
【００２０】
一方、図５は、ハンディーターミナルの電気的構成の概略を示すブロック図である。ハンディーターミナルは、ＣＰＵ（Central Processing Unit）２１と、ＣＰＵ２１に接続されたＲＡＭ（Random Access Memory）２２と、主記憶部２３、記憶部２４、キー入力部２５、表示部２６、スキャナ部２７、カメラ部２８、通信部３０、放音部３１から構成されている。
【００２１】
主記憶部２３は、ハンディーターミナルに内蔵されたフラッシュメモリ等の書き換え可能な不揮発性メモリにより構成される。主記憶部２３には、制御プログラム、ユーザに設定されたハンディーターミナルの動作に関する各種の設定情報等が記憶される。
【００２２】
ＣＰＵ２１は、主記憶部２３から制御プログラムを読み出してＲＡＭ２２に展開し、展開した制御プログラムに基づきハンディーターミナルの動作を制御する。その際、ＲＡＭ２２は作業のメモリとして使用され、必要に応じて画像データを含む各種データが記憶される。
【００２３】
キー入力部２５は、各種のキー５ａ（テンキー、演算キー、カーソルキー、決定キー、電源キーなど）、及びセンタートリガーキー５ｂ、サイドトリガーキー５ｃを含み、それらに対する操作の有無を検出し、それらの操作情報をＣＰＵ２１へ供給する。表示部２６は、ディスプレイ４及びその駆動回路から構成される。ディスプレイ４は、例えばＬＣＤ（Liquid Crystal Display）、ＥＬＤ（Electro Luminescent Display）である。
【００２４】
スキャナ部２７は、前述した読取装置６に収容されたレーザースキャナモジュール等であり、レーザー光Ｌを発光するレーザーダイオードと、レーザー光Ｌを反射するとともに、所定の角度内で回動することにより物品表面のバーコードを走査する可動ミラー、物品表面の乱反射光を受光する受光素子を備えている。スキャナ部２７には、レーザーダイオードの発光を制御するレーザー制御回路、可動ミラーを駆動するミラー駆動回路、受光素子が出力するアナログ信号を処理しＡ／Ｄ変換するアナログ信号処理回路、処理後のデジタル信号からコードデータをデコードし、そのコードデータをＣＰＵ２１へ供給するデコード回路が含まれる。
【００２５】
カメラ部２８は、前述した読取装置６に収容されたデジタルカメラモジュール等であり、フォーカスレンズを含む撮影レンズを介して被写体を撮像する撮像素子２９を備えている。撮像素子２９はＣＣＤ（Charge Coupled Device）やＣＭＯＳ（Complementary Meta1 0xide Semiconductor）型である。
【００２６】
図示しないが、カメラ部２８には、撮像素子２９を駆動する駆動回路と、撮像素子２９から読み出される撮像信号を処理し、ホワイトバランスや明るさ調整等の各種の信号処理を行い、画像データとしてＣＰＵ２１へ供給する画像処理回路と、撮影レンズを駆動しフォーカス調整を行うことによりＡＦ（Auto Focus）機能を実現するＡＦ駆動回路が含まれる。
【００２７】
記憶部２４は、例えばハンディーターミナルに着脱自在な各種のメモリカード、及びメモリカードへのデータの入出力を可能とするカードインターフェイスにより構成される。記憶部２４には、スキャナ部２７により取得されたコードデータと、カメラ部２８により取得された画像データに基づき後述する処理によってＣＰＵ２１により生成された撮影画像データとが関連付けられて他の情報と共に記憶される。
【００２８】
通信部３０は、必要に応じて有線又は無線通信によって外部の情報機器との間で通信を行い、記憶部２４に記憶（保存）されている物品毎のコードデータと画像データや、作業時に新たに取得されＲＡＭ２２に一時記憶されたコードデータと画像データを外部の情報機器に送信する。外部の情報機器は、例えば物品の入出庫や在庫などの管理業務に使用されるコンピュータやデータ管理サーバである。
【００２９】
放音部３１は、音声発生回路やアンプ、小型スピーカ等から構成され、必要に応じて各種の報知音、例えば入力部５の各種キー、サイドトリガーキー５ｃの操作時におけるキー操作音や、後述するブザー音を出力する。
【００３０】
以上の構成からなるハンディーターミナルには、動作モードとして、バーコードを読み取ってコードデータを取得し、それを記憶する際に、そのバーコードが設けられている任意の対象物を自動的に撮影し、その撮影画像を記憶する同時読み取りモードが用意されている。
【００３１】
以下、ユーザにより同時読み取りモードが設定されたときのハンディーターミナルの動作について説明する。なお、ここではバーコードが設けられている対象物は伝票である場合を説明する。
【００３２】
図６は、同時読み取りモードの設定に伴いＣＰＵ２１が主記憶部２３に記憶されているプログラムに従い実行する処理の要部を示したフローチャートである。
【００３３】
ハンディーターミナルにおいては、同時読み取りモードが設定されると、カメラ部２８において所定のフレームレートで被写体が撮像され、撮像された画像がディスプレイ４にライブビュー画像として逐次表示される。その間、カメラ部２８ではＡＦ機能によるフォーカス調整が行われる。
【００３４】
そして、図６に示したようにＣＰＵ２１は、ディスプレイ４にライブビュー画像が表示されている間、ユーザー（作業者）によってトリガーキー（センタートリガーキー５ｂ又はサイドトリガーキー５ｃ）が押された否かを確認する（ステップＳ１）。図７（ａ）は、ユーザーによりトリガーキーが押される以前におけるディスプレイ４の表示画面の一例を示す図である。トリガーキーが押される以前には、逐次更新されるライブビュー画像Ｇのみが表示される。なお、図７（ａ）は伝票２００の一部が映し出されている場合の例である。
【００３５】
その後、ユーザー（作業者）によってトリガーキーがＯＮとなると、すなわちトリガーキーが押下されると（ステップＳ１：ＹＥＳ）、ＣＰＵ２１は、図７（ｂ）に示したように、ライブビュー画像ＧにガイドラインＧＬの重畳表示する処理を開始する（ステップＳ２）。図７（ｂ）は、ユーザー（作業者）がライブビュー画像Ｇにおける伝票２００の位置や大きさをある程度調整して、トリガーキーを押したときのディスプレイ４の表示画面を例示する図である。
【００３６】
なお、ガイドラインＧＬの重畳表示は、ＣＰＵ２１が、カメラ部２８で撮像された画像をディスプレイ４にライブビュー画像として逐次表示する際、その画像データに線画データを合成することによって行われる。
【００３７】
このガイドラインＧＬは、撮影範囲内におけるレーザー光Ｌの照射位置を示す指標であり、ディスプレイ４の表示画面（ライブビュー画像Ｇ）に横方向に延在する直線である。表示画面におけるガイドラインＧＬの表示位置Ｈ（上下方向の位置）は、図４に示したカメラの撮影範囲１００に対するレーザー光Ｌの光跡Ｔの位置に相当する位置であり、予め決められた位置である。また、ガイドラインＧＬの幅（太さ）は、ユーザが容易に視認可能であることを条件として予め決められた幅である。
【００３８】
そして、ガイドラインＧＬの表示を開始した後、ＣＰＵ２１は、直ちにスキャナ部２７によるバーコードの読み取り動作を開始する（ステップＳ３）。すなわちレーザー光Ｌを照射してバーコードを読み取り、そのコードデータを取得する動作を開始する。
【００３９】
したがって、図７（ｃ）に示したように、伝票２００の位置や大きさがユーザによって調整され、ガイドラインＧＬが伝票２００のバーコード２０１に重なる状態となればバーコードが読み取り可能となる。なお、ガイドラインＧＬはバーコードの読み取りに際して表示されればよく、ガイドラインＧＬの表示を開始する処理とバーコード２０１の読み取りを開始する処理とは逆順で行われても構わない。
【００４０】
その後、ＣＰＵ２１は、バーコード２０１の読み取りが完了するまでの間は、その読み取り動作を継続する（ステップＳ４：ＮＯ）。その間、トリガーキーがＯＦＦとなると、すなわちユーザがトリガーキーの押下を中止すると（ステップＳ５：ＹＥＳ）、ＣＰＵ２１は、直ちにガイドラインＧＬの重畳表示を終了するとともに（ステップＳ６）、バーコード２０１の読み取り動作を中止する（ステップＳ７）。これにより、同時読み取りモードによる１回の処理を終了する。
【００４１】
一方、トリガーキーがＯＦＦとならず、図７（ｃ）に示したような状態が確保されることにより、バーコード２０１の読み取り動作が完了すると（ステップＳ４：ＹＥＳ）、ＣＰＵ２１は引き続き以下の処理を実行する。なお、図６では省略するが、ＣＰＵ２１は、バーコード２０１の読み取りが完了した時点でレーザー光Ｌの照射が終了するとともに、読み取られたコードデータをＲＡＭ２２に一時記憶する。
【００４２】
バーコードの読み取りが完了すると、ＣＰＵ２１は、ライブビュー画像ＧへのガイドラインＧＬの重畳表示を終了した後（ステップＳ８）、カメラ部２８によって伝票２００を撮影した記録用の画像データを取得する（ステップＳ９）。なお、取得した画像データはＲＡＭ２２に一時記憶する。
【００４３】
引き続きＣＰＵ２１は、放音部３１においてブザー音を出力させることにより、ユーザに対して伝票２００の撮影が完了した旨を報知した後（ステップＳ１０）、バーコード２０１から読み取ったコードデータと伝票２００の画像データとからなる各々の取得データをディスプレイ４に表示する（ステップＳ１１）。なお、ディスプレイ４における各々の取得データの表示形態については、それらをユーザが視認可能であれば任意である。
【００４４】
しかる後、ＣＰＵ２１は、例えばディスプレイ４に取得データと共に指示要求メッセージを表示することにより、表示中の取得データを保存するか否かをユーザに指示させる（ステップＳ１２）。そして、ＣＰＵ２１は、取得データの保存が指示されると（ステップＳ１２：ＹＥＳ）、取得データを記憶部２４に保存し（ステップＳ１３）、同時読み取りモードによる１回の処理を終了する。また、ＣＰＵ２１は、取得データを保存しない旨が指示されると（ステップＳ１２：ＮＯ）、一時記憶している取得データをＲＡＭ２２から破棄（消去）し（ステップＳ１４）、同時読み取りモードによる１回の処理を終了する。
【００４５】
なお、ＣＰＵ２１は、ユーザによって動作モードが同時読み取りモードとは異なる他のモードに変更されたり、電源がオフされたりするまで、ステップＳ１３，Ｓ１４、又はステップＳ７の処理を行った後にはステップＳ１へ戻り、それ以降の処理を繰り返す。
【００４６】
以上のように本実施形態においては、ユーザが同時読み取りモードを使用してバーコードの読み取りを行う際、レーザー光Ｌの想定される照射位置を示すガイドラインＧＬがライブビュー画像Ｇに重ねてディスプレイ４の表示画面に表示される。これにより、ユーザにおいては、レーザー光Ｌの光跡Ｔを直接目視せずとも、ディスプレイ４の表示画面上でレーザー光Ｌの照射位置を知ることができる。
【００４７】
よって、戸外等の周囲が明るい環境下であってもレーザー光Ｌの照射位置の調整に手間取るようなことがなく、作業環境に影響されることなく常に良好な作業性を確保することができる。しかも、伝票２００の撮影に向けて表示画面上の伝票２００の位置や大きさを調整する作業と並行して、レーザー光Ｌの照射位置（走査位置）を調整することができ、これによっても良好な作業性を確保することができる。
【００４８】
また、ガイドラインＧＬの表示を、トリガーキー（センタートリガーキー５ｂ又はサイドトリガーキー５ｃ）が押されたことに応答して開始するようにした。したがって、例えばトリガーキーが押され以前にディスプレイ４の表示画面に他の情報を表示する必要が場合には、ガイドラインＧＬが他の情報の妨げとなることがなく、表示画面をより有効に活用することができる。
【００４９】
また、ガイドラインＧＬの表示を、バーコードの読み取り動作が完了時点で終了するようにした。したがって、ユーザにおいては、バーコードの読み取りが完了した時点を明確にユーザに教えることができる。
【００５０】
また、バーコードの読み取り動作が完了時点で自動的に、伝票２００等の撮影した記録用の画像データを取得するようにした。したがって、伝票２００等を撮影するために特段の指示を行う必要がないことから、多数の伝票２００等を対象としてバーコードの読み取り作業と伝票２００等の撮影作業を繰り返し行う場合の作業効率を向上させることができる。
【００５１】
また、伝票２００の撮影が完了した時点で、それをブザー音によりユーザに知らせるようにしたことから、ユーザにおいては撮影が完了したことを明確に知ることができ、都合がよい。特に多数の伝票２００等を対象としてバーコードの読み取り作業と伝票２００等の撮影作業を繰り返し行う場合にはその効果が大である。
【００５２】
ここで、本実施形態においては、ディスプレイ４の表示画面にレーザー光Ｌの照射位置を示す指標として表示するガイドラインＧＬを実線としたが、ガイドラインＧＬは破線とすることもできる。また、ガイドラインＧＬは、その両端が表示画面の左右に達するものでなくともよい。さらに、レーザー光Ｌの照射位置を示す指標は、実線や破線等による直線でなくともよく、例えば表示画面の左右でガイドラインＧＬの両端に相当する箇所を示す矢印等のマークに代えることもできる。
【００５３】
また、本実施形態では、ガイドラインＧＬをトリガーキーが押されたことに応答してレーザー光Ｌの照射とともに表示し、その後、バーコードの読み取り動作が終了した時点でガイドラインＧＬの表示を終了する構成とした。しかし、ガイドラインＧＬは、同時読み取りモードの設定に伴いライブビュー画像の表示と同時に開始し、その表示を継続して行う構成としてもよい。
【００５４】
その場合、例えばガイドラインＧＬの色を動作内容の進行に応じて変化させるようにすれば、ユーザがハンディーターミナルの動作状態を逐次確認することができる。なお、ガイドラインＧＬの色を変化させる場合の具体例としては、レーザー光Ｌの照射以前の色を「緑色」とし、レーザー光Ｌの照射中（バーコードの読み取り動作中）の色を「赤色」とした後、バーコードの読み取り動作終了後に「緑色」に戻す構成が考えられる。
【００５５】
以上、本発明の実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
（付記１）
対象物に光線を照射し、その対象物に設けられたバーコードを読み取る読み取り手段と、
前記対象物を撮像する撮像手段と、
前記撮像手段により撮像された画像を逐次表示する表示手段と、
前記読み取り手段によるバーコードの読み取りに際し、前記表示手段に前記光線の想定される照射位置を示す指標を前記画像に重ねて表示させる指標表示制御手段と
を備えたことを特徴とするバーコード読取装置。
（付記２）
前記指標表示制御手段は、前記読み取り手段におけるバーコードの読み取り動作の開始と相前後して、前記表示手段に前記指標を前記画像に重ねて表示させることを特徴とする付記１記載のバーコード読取装置。
（付記３）
前記指標表示制御手段は、使用者による前記バーコードの読み取り開始指示に応答し、前記表示手段に前記指標を前記画像に重ねて表示させることを特徴とする付記１又は２記載のバーコード読取装置。
（付記４）
前記指標表示制御手段は、前記読み取り手段によるバーコードの読み取り動作が完了した時点で、前記表示手段における前記指標の表示を終了することを特徴とする付記１又は２，３記載のバーコード読取装置。
（付記５）
前記指標は、前記画像内に延在する所定幅を有する直線であることを特徴とする付記１乃至４のいずれか１つに記載のバーコード読取装置。
（付記６）
前記読み取り手段におけるバーコードの読み取り動作の完了に伴い、前記撮像手段に記録用の画像を撮像させる撮影制御手段を備えたことを特徴とする付記１乃至５のいずれか１つに記載のバーコード読取装置。
（付記７）
前記撮像手段よる記録用の画像の撮像が完了したことを報知する報知手段を備えたことを特徴とする付記６記載のバーコード読取装置。
（付記８）
対象物に光線を照射し、その対象物に設けられたバーコードを読み取る読み取り手段と、前記対象物を撮像する撮像手段と、前記撮像手段により撮像された画像を逐次表示する表示手段とを備えたバーコード読取装置の制御方法であって、
前記読み取り手段によるバーコードの読み取りに際し、前記表示手段に前記光線の想定される照射位置を示す指標を前記画像に重ねて表示させるステップを含むことを特徴とする制御方法。
（付記９）
対象物に光線を照射し、その対象物に設けられたバーコードを読み取る読み取り手段と、前記対象物を撮像する撮像手段と、前記撮像手段により撮像された画像を逐次表示する表示手段とを備えたバーコード読取装置が有するコンピュータを、
前記読み取り手段によるバーコードの読み取りに際し、前記表示手段に前記光線の想定される照射位置を示す指標を前記画像に重ねて表示させる指標表示制御手段として機能させることを特徴とするプログラム。
【符号の説明】
【００５６】
４    ディスプレイ
５    入力部
５ａ    キー
５ｂ    センタートリガーキー
５ｃ    サイドトリガーキー
６    読取装置
１１    読取窓部
１２    撮影窓部
２１    ＣＰＵ
２２    ＲＡＭ
２４    記憶部
２６    表示部
２７    スキャナ部
２８    カメラ部
２９    撮像素子
Ｓ２    カメラの撮影方向
Ｓ１    レーザー光の照射方向
【図１】
2019036053.tif 000003
【図２】
2019036053.tif 000004
【図３】
2019036053.tif 000005
【図４】
2019036053.tif 000006
【図５】
2019036053.tif 000007
【図６】
2019036053.tif 000008
【図７】
2019036053.tif 000009